(57)【要約】【課題】夕暮れ時や夜間でも使用者のまわりにいるドライバー等が使用者の存在を認識することが容易で、反射材のサイズ選択が煩わしくなく、しかも反射材が使用中に外れない編み上げ靴を提供する。【解決手段】使用者の足の甲を保護する靴本体部２１と、使用者の足首からふくらはぎを包むように靴本体部２１の上方に設けられ前方が切開部２２ａとなる平面視略Ｃ字状の胴筒部２２と、胴筒部２２の切開部２２ａよりも幅広で靴本体部２１に取付けられ胴筒部２２の切開部２２ａに内側から重ねられる舌部２３を備え、胴筒部２２の切開部２２ａ側の縁部２２ｂに取付けられた複数のハトメ２４に靴紐２５が挿通されて編み上げられる編み上げ靴２０において、胴筒部２２の外周面には胴筒部２２の切開部２２ａ側の一方の縁部２２ｂから他方の縁部２２ｂまで第一反射材２６が取付けられ、舌部２３の前面には第二反射材２７が取付けられてなる。【選択図】図１
2013118890.tif 000002
【特許請求の範囲】
【請求項１】
使用者の足の甲を保護する靴本体部と、
使用者の足首からふくらはぎを包むように前記靴本体部の上方に設けられ前方が切開部となる平面視略Ｃ字状の胴筒部と、
前記胴筒部の切開部よりも幅広で前記靴本体部に取付けられ前記胴筒部の切開部に内側から重ねられる舌部を備え、前記胴筒部の切開部側の縁部に取付けられた複数のハトメに靴紐が挿通されて編み上げられる編み上げ靴において、
前記胴筒部の外周面には前記胴筒部の切開部側の一方の縁部から他方の縁部まで第一反射材が取付けられ、前記舌部の前面には第二反射材が取付けられてなることを特徴とする編み上げ靴。
【請求項２】
前記第一反射材は前記胴筒部の後面で上下方向に幅広に形成されたことを特徴とする請求項１に記載の編み上げ靴。
【請求項３】
前記第一反射材は前記胴筒部の切開部側の一方の縁端から他方の縁端まで取付けられたことを特徴とする請求項１又は２に記載の編み上げ靴。
【請求項４】
前記第一反射材は前記胴筒部の切開部側の縁端から前記胴筒部の内周面側に折り込まれたことを特徴とする請求項１又は２に記載の編み上げ靴。
【請求項５】
前記複数のハトメのうち一部が前記第一反射材を貫通して前記胴筒部の切開部側の縁部に取付けられたことを特徴とする請求項１乃至４のうちいずれか一つに記載の編み上げ靴。
【請求項６】
前記胴筒部の周囲に前記胴筒部の切開部側の一方の縁部から他方の縁部までさらに蓄光材が取付けられたことを特徴とする請求項１乃至５のうちいずれか一つに記載の編み上げ靴。
【請求項７】
前記蓄光材は前記第一反射材と隣接して設けられたことを特徴とする請求項６に記載の編み上げ靴。
【発明の詳細な説明】
【技術分野】
【０００１】
本発明は、作業現場において使用される編み上げ靴に関するものである。
【背景技術】
【０００２】
建築現場や工事現場等の様々な作業現場においては、日中だけでなく夕暮れ時や夜間にも作業が行われる場合も少なくない。
暗い屋外において作業をしていると通常の作業の危険性に加えて、作業者のまわりにいる例えば自動車のドライバーが作業者を視認し難いので、作業者が交通事故に遭う可能性が上がってしまう。
また、作業現場において複数人で作業を分担して行っている場合、重機等に乗っていない作業者が、一緒に作業を行っている重機のオペレーター等に自分の現在位置を認識してもらうことは、労働災害を防ぐ点において非常に重要である。
【０００３】
そこで、図６に示すような、作業中に使用している編み上げ靴に取付けられる光反射体１０が開示されている（例えば、特許文献１参照）。
【先行技術文献】
【特許文献】
【０００４】
【特許文献１】実開昭６２−３１４０７号公報
【０００５】
図６に記載の光反射体１０は、光を再帰反射させる反射材１１が矩形状のカバー生地１２の表面に取付けられてなる。
そして、光反射体１０の一端及び他端に設けられたボタン１３によって編み上げ靴の胴筒部の外周面に取付けられるとともに、光反射体１０の内面側に取付けられたフック１４が編み上げ靴の上端に引っ掛けられる。
【０００６】
この発明によると、光反射体１０に取付けられた反射材１１が編み上げ靴の胴筒部の外周面に配置されるので、夕暮れ時や夜間に暗くても何らかの光が編み上げ靴を照らしたときには、その光量が僅かであっても光が反射材１１で確実に反射し、ドライバーや重機のオペレーター等が光反射体１０の使用者の存在を認識することができる。
よって、光反射体１０の使用者がまわりの人の不注意による事故に巻き込まれる可能性を低減できるので、光反射体１０の使用者は安全に作業を行うことができる。
【発明の概要】
【発明が解決しようとする課題】
【０００７】
しかしながら、使用者のふくらはぎの周囲のサイズは人それぞれであるし、また、使用者が所有している編み上げ靴の胴筒部はデザインや機能によって、使用者のふくらはぎにぴったりフィットするタイプか、ふくらはぎとの間に隙間ができるタイプかが異なるので、足のサイズ（つま先から踵まで）が同じであっても胴筒部のサイズは編み上げ靴の種類によって大きく異なる。よって、使用者が所有している編み上げ靴の胴筒部のサイズを数値としてわかっていない場合には、光反射体１０を購入するときに使用者が編み上げ靴をわざわざ店に持参しなければ最適なサイズの光反射体１０を選択できないので、煩わしいという問題があった。
【０００８】
さらに、光反射体１０の内面側のフック１４を編み上げ靴の上端に引っ掛けて、光反射体１０がずれ落ちないようにしているが、単にフック１４を胴筒部の上端に引っ掛けているだけなので、何かの拍子にフック１４が外れて光反射体１０がずれ落ちてしまうという問題もある。
【０００９】
そこで、本発明の目的とするところは、夕暮れ時や夜間でも使用者のまわりにいるドライバー等が使用者の存在を認識することが容易で、反射材のサイズ選択が煩わしくなく、しかも反射材が使用中に外れない編み上げ靴を提供することにある。
【課題を解決するための手段】
【００１０】
上記の目的を達成するために、本発明の請求項１に記載の編み上げ靴（２０）は、使用者の足の甲を保護する靴本体部（２１）と、使用者の足首からふくらはぎを包むように前記靴本体部（２１）の上方に設けられ前方が切開部（２２ａ）となる平面視略Ｃ字状の胴筒部（２２）と、前記胴筒部（２２）の切開部（２２ａ）よりも幅広で前記靴本体部（２１）に取付けられ前記胴筒部（２２）の切開部（２２ａ）に内側から重ねられる舌部（２３）を備え、前記胴筒部（２２）の切開部（２２ａ）側の縁部（２２ｂ）に取付けられた複数のハトメ（２４）に靴紐（２５）が挿通されて編み上げられる編み上げ靴（２０）において、前記胴筒部（２２）の外周面には前記胴筒部（２２）の切開部（２２ａ）側の一方の縁部（２２ｂ）から他方の縁部（２２ｂ）まで第一反射材（２６）が取付けられ、前記舌部（２３）の前面には第二反射材（２７）が取付けられてなることを特徴とする。
なお、ここでいう第一反射材（２６）及び第二反射材（２７）の取付けとは、縫い付けや接着等の、他の道具等を用いないと容易には胴筒部（２２）や舌部（２３）から第一反射材（２６）や第二反射材（２７）が取れない固定をいう。
【００１１】
また、請求項２に記載の編み上げ靴（２０）は、前記第一反射材（２６）は前記胴筒部（２２）の後面で上下方向に幅広に形成されたことを特徴とする。
【００１２】
また、請求項３に記載の編み上げ靴（２０）は、前記第一反射材（２６）は前記胴筒部（２２）の切開部（２２ａ）側の一方の縁端（２２ｃ）から他方の縁端（２２ｃ）まで取付けられたことを特徴とする。
【００１３】
また、請求項４に記載の編み上げ靴（２０）は、前記第一反射材（２６）は前記胴筒部（２２）の切開部（２２ａ）側の縁端（２２ｃ）から前記胴筒部（２２）の内周面側に折り込まれたことを特徴とする。
【００１４】
また、請求項５に記載の編み上げ靴（２０）は、前記複数のハトメ（２４）のうち一部が前記第一反射材（２６）を貫通して前記胴筒部（２２）の切開部（２２ａ）側の縁部（２２ｂ）に取付けられたことを特徴とする。
【００１５】
また、請求項６に記載の編み上げ靴（２０）は、前記胴筒部（２２）の周囲に前記胴筒部（２２）の切開部（２２ａ）側の一方の縁部（２２ｂ）から他方の縁部（２２ｂ）までさらに蓄光材（２８）が取付けられたことを特徴とする。
【００１６】
また、請求項７に記載の編み上げ靴（２０）は、前記蓄光材（２８）は前記第一反射材（２６）と隣接して設けられたことを特徴とする。
【００１７】
ここで、上記括弧内の記号は、図面および後述する発明を実施するための形態に掲載された対応要素または対応事項を示す。
【発明の効果】
【００１８】
本発明の請求項１に記載の編み上げ靴によれば、胴筒部の外周面には第一反射材が取付けられ、舌部の前面には第二反射材が取付けられてなるので、夕暮れ時や夜間であっても何らかの光があると、第一反射材及び第二反射材によって光が反射する。よって、使用者のまわりにいるドライバー等が使用者の存在を認識することが容易であるので、安全である。
しかも、第一反射材は胴筒部の切開部側の一方の縁部から他方の縁部まで取付けられているので、編み上げ靴の周囲のいずれの方向にも、第一反射材及び第二反射材のうち少なくともいずれか一方が面している。よって、使用者の体の向きによらず第一反射材又は第二反射材によって光が反射するので、さらに安全である。
また、編み上げ靴は第一反射材及び第二反射材が取付けられてなるので、使用者は編み上げ靴のサイズさえ確認して編み上げ靴を購入すればよく、第一反射材及び第二反射材のサイズを確認する手間が掛からず、また、編み上げ靴の使用中に第一反射材及び第二反射材が胴筒部や舌部から外れない。
【００１９】
また、請求項２に記載の編み上げ靴によれば、請求項１に記載の発明の作用効果に加え、第一反射材は胴筒部の後面で上下方向に幅広に形成されたので、胴筒部の後面でより多く光を反射できる。よって、使用者が背を向けている人に対して自分の存在をよりアピールすることができるので、使用者が気付き難い背後からの危険を回避でき、さらに安全である。
【００２０】
また、請求項３に記載の編み上げ靴によれば、請求項１又は２に記載の発明の作用効果に加え、第一反射材は胴筒部の切開部側の一方の縁端から他方の縁端まで取付けられたので、編み上げ靴の周囲の３６０度いずれの方向にも、確実に第一反射材及び第二反射材のうち少なくともいずれか一方が面している。よって、使用者の体の向きによらず第一反射材又は第二反射材によって光が確実に反射するので、安全である。
【００２１】
また、請求項４に記載の編み上げ靴によれば、請求項１又は２に記載の発明の作用効果に加え、第一反射材は胴筒部の切開部側の縁端から胴筒部の内周面側に折り込まれたので、第一反射材は胴筒部の切開部側の一方の縁端から他方の縁端まで存在する。よって、請求項３に記載の発明と同様に、使用者の体の向きによらず第一反射材又は第二反射材によって光が確実に反射するので、安全である。
さらに、胴筒部の内周面側に折り込まれることで、第一反射材の胴筒部への取付けがより強固になるので、編み上げ靴の使用中に第一反射材が胴筒部から外れてしまうことがない。
【００２２】
また、請求項５に記載の編み上げ靴によれば、請求項１乃至４に記載の発明の作用効果に加え、複数のハトメのうち一部が第一反射材を貫通して胴筒部の切開部側の縁部に取付けられたので、さらに第一反射材が胴筒部から外れ難い。
しかも、ハトメには靴紐が挿通されて編み上げられているので、靴紐が切れない限り第一反射材が胴筒部からずれ落ちることはあり得ない。
【００２３】
また、請求項６に記載の編み上げ靴によれば、請求項１乃至５に記載の発明の作用効果に加え、胴筒部の周囲に胴筒部の切開部側の一方の縁部から他方の縁部までさらに蓄光材が取付けられたので、光で照らされなくても周囲に存在を知らせることができる。
【００２４】
また、請求項７に記載の編み上げ靴によれば、請求項６に記載の発明の作用効果に加え、蓄光材は第一反射材と隣接して設けられたので、蓄光材が光で照らされているが第一反射材は光で照らされず、蓄光材と第一反射材のいずれもが目立たないという状況が発生し難い。よって、光の有無にかかわらず蓄光材及び第一反射材のうち少なくともいずれか一方によって、周囲に使用者の存在を知らせることができるので、安全である。
【００２５】
なお、本発明の編み上げ靴のように、胴筒部の外周面には胴筒部の切開部側の一方の縁部から他方の縁部まで第一反射材が取付けられ、舌部の前面には第二反射材が取付けられてなる点は、上述した特許文献１には全く記載されていない。
【図面の簡単な説明】
【００２６】
【図１】本発明の第一実施形態に係る編み上げ靴を示す斜視図である。
【図２】図１の編み上げ靴を示す別方向からの斜視図である。
【図３】本発明の第二実施形態に係る編み上げ靴を示す斜視図である。
【図４】図３の編み上げ靴を示す別方向からの斜視図である。
【図５】本発明の別の実施形態に係る編み上げ靴を示す斜視図である。
【図６】従来例に係る光反射体を示す斜視図である。
【発明を実施するための形態】
【００２７】
（第一実施形態）
図１及び図２を参照して、本発明の第一実施形態に係る編み上げ靴２０を説明する。
この編み上げ靴２０は、靴本体部２１と、胴筒部２２と、舌部２３を備え、胴筒部２２の切開部２２ａ側の縁部２２ｂに取付けられた複数のハトメ２４に靴紐２５が挿通されて編み上げられるものである。
【００２８】
靴本体部２１は、つま先部分に鋼製先芯が入っており、使用者の足の甲を保護する。靴本体部２１の内側（親指側）及び外側（小指側）は適宜補強布により補強されている。
また、靴本体部２１の靴底２９は屈曲性を有するとともに、耐滑性にも優れるソールパターンになっている。中底にはステンレス板が入っている。
【００２９】
胴筒部２２は、使用者の足首からふくらはぎを包むように靴本体部２１の上方に設けられている。胴筒部２２の前方は切開部２２ａとなっており、胴筒部２２は平面視略Ｃ字状である。
また、使用者が着脱容易なように、胴筒部２２の側面（編み上げ靴２０の側面となる部分）には上下方向に延びるファスナー３１が設けられており、胴筒部２２の上部に設けられたフラップ３２によりファスナー３１の上部が覆われる。
【００３０】
そして、胴筒部２２の外周面には胴筒部２２の切開部２２ａ側の一方の縁端２２ｃから他方の縁端２２ｃまで、光を再帰反射させる布状の第一反射材２６が縫い付けられている。
この第一反射材２６は図２に示すように、胴筒部２２の後面では上下方向に延びるように幅広に形成されている。
ここで、第一反射材２６はファスナー３１で分断されており、また胴筒部２２の後面の幅広部分も別パーツになっている。このように本実施形態においては、第一反射材２６は四つのパーツ２６Ａ，２６Ｂ，２６Ｃ，２６Ｄからなっており、それぞれ隣接するパーツ間には極力隙間がないように各パーツ２６Ａ，２６Ｂ，２６Ｃ，２６Ｄが縫い付けられている。
また、胴筒部２２の切開部２２ａ側の縁部２２ｂには複数のハトメ２４が取付けられている。この複数のハトメ２４のうち一部（ここでは片側で二つ）は、第一反射材２６を貫通して胴筒部２２の切開部２２ａ側の縁部２２ｂに取付けられている。
【００３１】
舌部２３は、胴筒部２２の切開部２２ａよりも幅広で、その下端が靴本体部２１に取付けられ、胴筒部２２の切開部２２ａに内側から重ねられる。
舌部２３の前面には舌部２３と同じ大きさの布状の第二反射材２７が縫い付けられており、舌部２３の全面に第二反射材２７が重ねられている。
【００３２】
以上のように構成された編み上げ靴２０によれば、胴筒部２２の外周面には第一反射材２６が取付けられ、舌部２３の前面には第二反射材２７が取付けられてなるので、夕暮れ時や夜間であっても何らかの光があると、第一反射材２６及び第二反射材２７によって光が反射する。よって、使用者のまわりにいるドライバー等が使用者の存在を認識することが容易であるので、安全である。
しかも、第一反射材２６は胴筒部２２の切開部２２ａ側の一方の縁端２２ｃから他方の縁端２２ｃまで取付けられているので、編み上げ靴２０の周囲の３６０度いずれの方向にも、確実に第一反射材２６及び第二反射材２７のうち少なくともいずれか一方が面している。よって、使用者の体の向きによらず第一反射材２６又は第二反射材２７によって光が反射するので、さらに安全である。
【００３３】
また、第一反射材２６は胴筒部２２の後面で上下方向に幅広に形成されたので、胴筒部２２の後面でより多く光を反射できる。よって、使用者が背を向けている人に対して自分の存在をよりアピールすることができるので、使用者が気付き難い背後からの危険を回避でき、さらに安全である。
【００３４】
また、編み上げ靴２０は第一反射材２６及び第二反射材２７が縫い付けられてなるので、使用者は編み上げ靴２０のサイズさえ確認して編み上げ靴２０を購入すればよく、第一反射材２６及び第二反射材２７のサイズを確認する手間が掛からない。また、編み上げ靴２０の使用中に第一反射材２６及び第二反射材２７が胴筒部２２や舌部２３から外れない。
特に、複数のハトメ２４のうち一部が第一反射材２６を貫通して胴筒部２２の切開部２２ａ側の縁部２２ｂに取付けられたので、さらに第一反射材２６が胴筒部２２から外れ難い。しかも、ハトメ２４には靴紐２５が挿通されて編み上げられているので、靴紐２５が切れない限り第一反射材２６が胴筒部２２からずれ落ちることはあり得ない。
【００３５】
（第二実施形態）
次に図３と図４を参照して、本発明の第二実施形態に係る編み上げ靴２０を説明する。なお、第一実施形態と同一部分には同一符号を付した。
本実施形態の第一実施形態との違いは、第一反射材２６に加えて胴筒部２２に蓄光材２８も備えることであり、その他の構成要素に関しては第一実施形態と同一である。
【００３６】
詳しくは、本実施形態における第一反射材２６は、第一実施形態における第一反射材２６よりも幅狭であり、その第一反射材２６の上下方向に蓄光材２８がそれぞれ隣接して設けられる。
すなわち、胴筒部２２の周囲に胴筒部２２の切開部２２ａ側の一方の縁部２２ｂから他方の縁部２２ｂまでさらに蓄光材２８が縫い付けられている。
そして、図４に示すように、胴筒部２２の後面では、蓄光材２８も上下方向に幅広に形成されており、また第一反射材２６と同様に、蓄光材２８もファスナー３１によって分断されている。
ここで、蓄光材２８とは、光を蓄えて発光する夜光塗料等が塗布等されてなるものである。
【００３７】
以上のように構成された編み上げ靴２０によれば、胴筒部２２の周囲に胴筒部２２の切開部２２ａ側の一方の縁部２２ｂから他方の縁部２２ｂまでさらに蓄光材２８が取付けられたので、光で照らされなくても周囲に存在を知らせることができる。
また、特に蓄光材２８は第一反射材２６と隣接して設けられたので、蓄光材２８が光で照らされているが第一反射材２６は光で照らされず、蓄光材２８と第一反射材２６のいずれもが目立たないという状況が発生し難い。よって、光の有無にかかわらず蓄光材２８及び第一反射材２６のうち少なくともいずれか一方によって、周囲に使用者の存在を知らせることができるので、安全である。
【００３８】
なお、第一、第二実施形態において、第一反射材２６は胴筒部２２の切開部２２ａ側の一方の縁端２２ｃから他方の縁端２２ｃまで取付けられたとしたが、これに限られるものではなく、第一反射材２６は胴筒部２２の切開部２２ａ側の縁端２２ｃから離間して取付けられてもよい。すなわち、第一反射材２６は胴筒部２２の切開部２２ａ側の一方の縁部２２ｂから他方の縁部２２ｂまで取付けられてもよい。
このとき、胴筒部２２の切開部２２ａ側の一方の縁部２２ｂから他方の縁部２２ｂまで第一反射材２６が取付けられていればその態様は問わず、例えば第一反射材２６はいくつのパーツに分かれていてもよい。
【００３９】
一方、第一反射材２６が前記胴筒部２２の切開部２２ａ側の縁端２２ｃから前記胴筒部２２の内周面側に折り込まれていてもよい。
この場合、第一反射材２６の胴筒部２２への取付けがより強固になるので、編み上げ靴２０の使用中に第一反射材２６が胴筒部２２から外れてしまうことがない。
【００４０】
また、第一反射材２６は胴筒部２２の後面で上下方向に幅広に形成されたとしたが、これに限られるものではなく、胴筒部２２の切開部２２ａ側の一方の縁部２２ｂから他方の縁部２２ｂまでが、例えば一定幅であってもよい。
また、第一反射材２６は胴筒部２２の後面で上下方向に幅広に形成する場合に、第一反射材２６はいくつのパーツからなってもよく、例えば本実施形態の第一反射材２６の三つのパーツ２６Ｂ，２６Ｃ，２６Ｄを一つのパーツとしてもよい。
【００４１】
また、複数のハトメ２４のうち一部を、第一反射材２６を貫通して胴筒部２２の切開部２２ａ側の縁部２２ｂに取付けたが、これに限られるものではなく、例えばハトメ２４とハトメ２４の間に第一反射材２６を取付けたり、第一反射材２６の端部をハトメ２４から切開部２２ａとは逆側に離間させたりしてもよい。
【００４２】
また、第二実施形態において、第一反射材２６の上下方向に蓄光材２８が隣接して設けられたとしたが、これに限られるものではなく、図５に示すように、第一反射材２６の下方に蓄光材２８が隣接していてもよい。また、第一反射材２６の上方に蓄光材２８が隣接していてもよい。
さらには、第一反射材２６が蓄光材２８から離間していてもよい。
【００４３】
また、図５に示すように、舌部２３の前面にも第一反射材２６及び蓄光材２８が縫い付けられていてもよい。
【００４４】
また、フラップ３２に第一反射材２６や蓄光材２８が取付けられてもよい。
また、第一反射材２６、第二反射材２７、蓄光材２８は縫い付けられているとしたが、これに限られるものではなく、接着剤による接着でもよい。すなわち、他の道具等を用いないと容易には胴筒部２２や舌部２３から第一反射材２６等が取れない固定方法であれば、どのような取付けであってもよい。これには、例えば第一反射材２６は反射性の繊維からなり、第一反射材２６が胴筒部２２を構成する厚織綿布と一体になっているものも含まれる。
【００４５】
また、胴筒部２２にファスナー３１を設けなくてもよく、この場合、第一反射材２６や蓄光材２８はそれぞれ一つのパーツとすることができる。
【符号の説明】
【００４６】
１０      光反射体
１１      反射材
１２      カバー生地
１３      ボタン
１４      フック
２０      編み上げ靴
２１      靴本体部
２２      胴筒部
２２ａ    切開部
２２ｂ    縁部
２２ｃ    縁端
２３      舌部
２４      ハトメ
２５      靴紐
２６      第一反射材
２７      第二反射材
２８      蓄光材
２９      靴底
３１      ファスナー
３２      フラップ
【図１】
2013118890.tif 000003
【図２】
2013118890.tif 000004
【図３】
2013118890.tif 000005
【図４】
2013118890.tif 000006
【図５】
2013118890.tif 000007
【図６】
2013118890.tif 000008